(57)【要約】    【課題】第１ボディ部の第２ボディ部に対するスライド移動及び回転によって新しい領域を露出させる。    【解決手段】移動通信端末機１０は、第１ボディ１２部と、閉状態にて前記第１ボディ部１２によってその前面が覆われる第２ボディ部１４と、を有し、前記第１ボディ部１２は、前記第２ボディ部１４に対するスライド移動及びその裏面と前記第２ボディ部１４の前面とが対向した状態での回転が可能に前記第２ボディ部１４に連結されていることを特徴とする。【選択図】図３
2007116712.tif 000002
【特許請求の範囲】
【請求項１】
第１ボディ部と、
閉状態にて前記第１ボディ部によってその前面が覆われる第２ボディ部と、を有し、
前記第１ボディ部は、前記第２ボディ部に対するスライド移動及びその裏面と前記第２ボディ部の前面とが対向した状態での回転が可能に前記第２ボディ部に連結されていることを特徴とする移動通信端末機。
【請求項２】
前記第２ボディ部は、前記第１ボディ部が前記スライド移動及び前記回転を行った後に露出する情報入力部を有することを特徴とする請求項１記載の移動通信端末機。
【請求項３】
放送網を介してデジタル放送信号を受信する放送用モデムを有し、
前記情報入力部は、前記デジタル放送信号の受信指令を入力するために用いられることを特徴とする請求項１又は請求項２記載の移動通信端末機。
【請求項４】
前記情報入力部は、タッチパッド又はタッチスクリーンを含むことを特徴とする請求項２又は請求項３記載の移動通信端末機。
【請求項５】
前記タッチスクリーンは筆記認識スクリーンを含み、
前記筆記認識スクリーンは、文字又は数字を筆記入力するための専用の入力領域を２つ以上有することを特徴とする請求項４記載の移動通信端末機。
【請求項６】
前記第１ボディ部が前記第２ボディ部に対してスライド移動すると前記第２ボディ部の前面の一部が露出するスライド開放状態となり、
該スライド開放状態において、前記第１ボディ部の裏面と前記第２ボディ部の前面とが対向した状態で前記第１ボディ部が回転すると前記第２ボディ部の前面がさらに露出することを特徴とする請求項１〜５のいずれか一つに記載の移動通信端末機。
【請求項７】
前記第１ボディ部の裏面と前記第２ボディ部の前面とが対向した状態で前記第１ボディ部が回転すると前記第２ボディ部の前面の一部が露出し、該第２ボディ部の前面の一部が露出した状態で前記第１ボディ部が前記第２ボディ部に対してスライド移動すると前記第２ボディ部の前面がさらに露出することを特徴とする請求項１〜５のいずれか一つに記載の移動通信端末機。
【請求項８】
前記第１ボディ部又は前記第２ボディ部の少なくとも一方の側面にマルチキーが設けられていることを特徴とする請求項１〜５のいずれか一つに記載の移動通信端末機。
【請求項９】
前記マルチキーは、前記第１ボディ部の回転前後で異なる入力信号を発生する複数のキーを含むことを特徴とする請求項８記載の移動通信端末機。
【請求項１０】
前記マルチキーは、上下の方向キーを含み、
前記第１ボディ部が前記第２ボディ部に対して９０°回転すると、前記上下の方向キーが左右の方向キーとして機能することを特徴とする請求項９記載の移動通信端末機。
【請求項１１】
前記マルチキーは、前記第１ボディ部の側面に設けられるサイドキー又は前記第１ボディの前面に設けられるナビゲーションキーであることを特徴とする請求項９又は請求項１０記載の移動通信端末機。
【請求項１２】
前記第１ボディ部の前面に設けられるディスプレイ部と、
前記第１ボディ部の前記第２ボディ部に対する回転角度を検知する位置検知部と、
前記第１ボディ部の前記第２ボディ部に対する回転角度に応じて前記ディスプレイ部に表示される映像の上下方向を制御する制御部と、
を含むことを特徴とする請求項１〜５のいずれか一つに記載の移動通信端末機。
【請求項１３】
前記第１ボディ部の前面に設けられるディスプレイ部と、
前記第１ボディ部の重力方向に対する回転位置を検知する位置検知部と、
前記第１ボディ部の重力方向に対する回転位置に応じて前記ディスプレイ部に表示される映像の上下方向を制御する制御部と、
を含むことを特徴とする請求項１〜５のいずれか一つに記載の移動通信端末機。
【請求項１４】
前記制御部は、前記ディスプレイ部に表示される映像の上下方向を、前記第１ボディ部の回転位置にかかわらず、前記第２ボディ部の上下方向又は重力方向に維持することを特徴とする請求項１３に記載の移動通信端末機。
【請求項１５】
ディスプレイ部及びマルチキーが設けられる第１ボディ部と、
閉状態にて前記第１ボディ部によってその前面が覆われる第２ボディ部と、を有し、
前記第１ボディ部は、前記第２ボディ部に対するスライド移動及びその裏面と前記第２ボディ部の前面とが対向した状態での回転が可能に前記第２ボディ部に連結され、
前記マルチキーは、前記第１ボディ部の前記回転前後で異なる入力信号を発生することを特徴とする移動通信端末機。
【請求項１６】
前記マルチキーは、上下又は左右の方向キーを含み、
前記第１ボディ部が前記第２ボディ部に対して９０°回転すると、前記上下の方向キーが左右の方向キーとして機能し、又は前記左右の方向キーが上下の方向キーとして機能することを特徴とする請求項１５記載の移動通信端末機。
【請求項１７】
前記マルチキーは、前記第１ボディ部の側面に設けられるサイドキー又は前記第１ボディ部の前面に設けられるナビゲーションキーであることを特徴とする請求項１５又は請求項１６記載の移動通信端末機。
【請求項１８】
前記第１ボディ部が前記第２ボディ部に対してスライド移動すると前記第２ボディ部の前面の一部が露出するスライド開放状態となり、
該スライド開放状態において、前記第１ボディ部の裏面と前記第２ボディ部の前面とが対向した状態で前記第１ボディ部が回転すると前記第２ボディ部の前面がさらに露出することを特徴とする請求項１５〜１７のいずれか一つに記載の移動通信端末機。
【発明の詳細な説明】
【技術分野】
【０００１】
本発明は、移動通信端末機に関し、特に、第１ボディ部がその裏面と第２ボディ部の前面とが対向した状態で回転する移動通信端末機に関する。
【背景技術】
【０００２】
無線通信を行うのみならず、音声、映像を表示することができる端末機、例えば、移動通信端末機は、無線通信の技術の発達に伴って、有線電話と比べてもその通話品質が劣ることなく、比較的に携帯に簡便な大きさにまで小型化され、今や多くの人の必需品となっている。
【０００３】
このように、移動通信端末機は必需品として位置付けられ、様々な機能が追加されると共に様々なデザインも開発されている。例えば、移動通信端末機のデザインとして、フォルダタイプ、スライドタイプ、フリップタイプ、バータイプ又はスウィングタイプなど種々のボディ構造が開発されている。また、最近では、ディスプレイ部（該ディスプレイ部を有するボディ部）が９０°回転する、いわゆる「サイクロイド型携帯」も開発されている。
【発明の開示】
【発明が解決しようとする課題】
【０００４】
ところで、上記のように、移動通信端末機はますます小型化が進んでおり、少ない領域を有効活用することが望まれている。しかし、従来のサイクロイド型携帯では、単にディスプレイ部を９０°回転させるものであり、この回転によって露出される領域を利用するという思想は全くなかった。
【０００５】
また、従来のサイクロイド型携帯では、ディスプレイ部を有する第１のボディ及び該第１のボディに連結される第２のボディの前面や側面に様々な入力キーを有しているが、各入力キーは、ディスプレイ部の回転（すなわち、第１のボディの回転）とは無関係に、同一の入力信号を発生する（同一の指令を行う）ため、ディスプレイ部に表示されている情報の配置と対応しない場合あり、操作性の面で改良の余地があった。
【０００６】
本発明は、このような実情に鑑みてなされたものであり、その目的は、第１ボディ部の第２ボディ部に対するスライド移動及び回転によって新しい領域を露出させ、この露出させた領域を有効に活用することのできる移動通信端末機を提供することにある。
【０００７】
また、前記露出させた領域に筆記認識スクリーンを含む情報入力部を配設し、筆記認識速度及び筆記認識率を向上させることにある。
【０００８】
また、第１ボディ部に設けられるマルチキーが、該第１ボディ部の第２ボディ部に対する回転前後で異なる入力信号を発生することのできる移動通信端末機を提供することにある。
【０００９】
また、ディスプレイを有する第１ボディ部が回転しても、一定の方向の映像をユーザーに提供することにある。
【課題を解決するための手段】
【００１０】
そのため、本発明に係る移動通信端末機は、第１ボディ部と、閉状態にて前記第１ボディ部によってその前面が覆われる第２ボディ部と、を有し、前記第１ボディ部は、前記第２ボディ部に対するスライド移動及びその裏面と前記第２ボディ部の前面とが対向した状態での回転が可能に前記第２ボディ部に連結されていることを特徴とする。
【００１１】
ここで、第２ボディ部は、前記第１ボディ部が前記スライド移動及び前記回転を行った後に露出する情報入力部を有し、該情報入力部が筆記認識スクリーンを含むことが好ましい。また、筆記認識スクリーンは、文字、数字のそれぞれを筆記入力する専用の入力領域を複数有するのが好ましい。
【００１２】
また、本発明に係る移動通信端末機は、ディスプレイ部及びマルチキーが設けられる第１ボディ部と、閉状態にて前記第１ボディ部によってその前面が覆われる第２ボディ部と、を有し、前記第１ボディ部は、前記第２ボディ部に対するスライド移動及びその裏面と前記第２ボディ部の前面とが対向した状態での回転が可能に前記第２ボディ部に連結され、前記マルチキーは、前記第１ボディ部の前記回転前後で異なる入力信号を発生することを特徴とする。例えば、前記マルチキーは、上下又は左右の方向キーを含み、前記第１ボディ部が前記第２ボディ部に対して９０°回転すると、前記上下の方向キーが左右の方向キーとして機能し、又は前記左右の方向キーが上下の方向キーとして機能する。
【発明の効果】
【００１３】
本発明によれば、移動通信端末機において、第１ボディ部の第２ボディ部に対するスライド移動及びその裏面が第２ボディ部の前面と対向した状態での回転によって、これまで利用されていなかった新しい領域を露出させること（確保すること）ができる。したがって、この露出させた領域に、例えばタッチスクリーン等の情報入力部を配置することができ、少ない領域を有効に活用することができる。
【００１４】
また、本発明によれば、第１ボディ部に設けられるマルチキーが、該第１ボディ部の第２ボディ部に対する回転前後で異なる入力信号を発生するので、第１ボディ部（ディスプレイ部）が回転しても、ディスプレイ部に表示されている情報の配置とマルチキーの配置とを対応させることができる。
【発明を実施するための最良の形態】
【００１５】
以下、本発明の好ましい実施形態を添付図面に基づき詳細に説明する。
【００１６】
図１〜図３は、本発明の一実施形態に係る移動通信端末機の閉状態〜開状態を示す斜視図である。
【００１７】
図に示すように、本実施形態に係る移動通信端末機１０は、第１ボディ部１２及び第２ボディ部１４を有する。移動通信端末機１０の閉状態においては、第２ボディ１４部の前面が第１ボディ部１２によって覆われている。
【００１８】
第１ボディ部１２及び第２ボディ部１４は、相対的にスライド移動可能に連結されている。そして、第１ボディ部１２が第２ボディ部１４に対して（上方に）スライド移動すると（図２）、第２ボディ部１４の前面の一部が露出するスライド開放状態となる。なお、かかるスライド移動のあいだは、第１ボディ部１２は縦長の状態が保持される。
【００１９】
また、第１ボディ部１２が第２ボディ部１４に対してスライド移動したスライド開放状態において（図２）、図３に示すように、第１ボディ部１２の裏面と第２ボディ部１４の前面とが対向したままで回転できるように、第１ボディ部１２は第２ボディ部１４に連結されている。
【００２０】
閉状態にある移動通信端末機１０は、第１ボディ部１２が第２ボディ部１４に対してスライド移動すると第２ボディ部１４の前面の一部が露出するスライド開放状態となり、その後、第１ボディ部１２の裏面と第２ボディ部１４の前面とが対向した状態で第１ボディ部１２が回転すると第２ボディ部１４の前面がさらに露出する（完全に開放する）。この状態（第１ボディ１２が９０°回転した状態）では、第１ボディ部１２は横長の状態となり、移動通信端末機１０は略「Ｔ」字状をなすことになる。
【００２１】
第１ボディ部１２は、その前面に設けられている第１ディスプレイ部１６と、その前面及び一側面に設けられている多数のマルチキー１７とを有する。また、第２ボディ部１４は、その前面に設けられ、タッチスクリーンの機能を有する第２ディスプレイ部２４を有する。
【００２２】
以下、第１ディスプレイ部１６、マルチキー１７、第２ディスプレイ部２４に分けて説明する。
【００２３】
（１）第１ディスプレイ部
図１〜図３に示すように、第１ディスプレイ部１６は、第１ボディ部１２の前面に設けられており、移動通信端末機１０のメニュー画面、動画、静止画など各種映像情報を表示する。かかる第１ディスプレイ部１６は、液晶表示装置ＬＣＤや誘導電界発光表示装置ＯＬＥＤ、電界発光表示装置ＬＥＤなど様々な発光表示装置により構成することができる。
【００２４】
第１ディスプレイ部１６は、第１ボディ部１２が第２ボディ部１４の前面を覆っている閉状態において、縦長の長方形状の形態を有している。但し、スライド開放状態において第１ボディ部１２が第２ボディ部１４に対して回転すると、図３に示すように、第１ディスプレイ部１６は、横長の長方形状の形態となる。なお、第１ディスプレイ部１６の縦横比は、表示する映像の種類等に応じて定めることができる。例えば、受信したデジタル放送映像を表示する、いわゆるＤＭＢフォンである場合には、ディスプレイ部１６の横縦比は、高画質の放送映像に適した１６：９とするのが望ましい。
【００２５】
図４は、本実施形態に係る移動通信端末機のシステム構成図である。
【００２６】
図４に示すように、本実施形態に係る移動通信端末機１０は、第１ディスプレイ部１６に関連する構成として、制御部３４、無線通信部３６、放送用モデム３８、メモリ部３９及び位置検知部４０を含んで構成される。
【００２７】
制御部３４は、移動通信端末機１０の全体動作を制御するが、特に第１ディスプレイ部１６に関連する制御としては次のようなものがある。まず、無線通信部３６や放送用モデム３８を通じて受信したデータをメモリ部３９に保存するように制御する。また、メモリ部３９に保存されているデータを第１ディスプレイ部１６に映像で表示するように制御する。さらに、後述する第２ディスプレイ部２４のタッチスクリーン機能により入力された入力信号を適当な映像で第１ディスプレイ部１６に表示するように制御する。
【００２８】
位置検知部４０は、第１ボディ部１２をボディ部１４に対して回転させるか又はボディ部１４と共に回転したときに、第１ボディ部１２の第２ボディ部１４に対する回転角度又は重力方向に対する回転角度を検知する。このような位置検知部４０は、例えば重力検知装置又はジャイロ検知装置（ｇｙｒｏ−ｓｅｎｓｉｎｇ  ｄｅｖｉｃｅ）によって構成される。
【００２９】
位置検知部４０は、基準方向に対する第１ボディ部１２の回転角度を検知し、その回転角度を制御部３４に提供する。
【００３０】
例えば、位置検知部４０は、図１、２の状態においては第１ボディ部１２の回転角度が「０°」と判断し、図３の状態においては第１ボディ部１２の回転角度が「９０°」であると判断する。
【００３１】
制御部３４は、第１ボディ部１２の回転にかかわらず、第１ディスプレイ部１６に第２ボディ部１４又は重力方向に対応した映像を表示するように制御する。すなわち、第１ボディ部１２が回転して第１ディスプレイ部１６が回転したとしても映像の上下はそのまま維持され（映像が回転することなく）、第１ディスプレイ部１６は、ユーザーに常に一定方向の映像を提供することができる。
【００３２】
図５〜図７は、第１ボディ部１２の回転位置に応じた第１ディスプレイ部１６の映像表示状態（表示画面）を示している。
【００３３】
図５〜図７に示すように、第１ボディ部１２を第２ボディ部１４又は重力方向に対して４５度または９０度回転しても、第１ディスプレイ部１６には、第２ボディ部１４の上下方向又は重力方向を上下方向とする動画や静止画を表示する。例えば、放送用モデム３８を通じてデジタル放送映像を第１ディスプレイ部１６に表示するとき、第１ボディ部１２を回転しても、デジタル放送映像の上下方向が第２ボディ部１４の上下方向又は重力方向と同じ方向を保持するため、無用な混乱を与えることなく、ユーザーはデジタル放送映像を安定して視聴することができる。
【００３４】
（２）マルチキー
図１〜図３に示すように、マルチキー１７は、第１ボディ部１２の一側面に設けられているサイドキー１８と、第１ボディ部１２の前面に設けられているナビゲーションキー２３とを有する。
【００３５】
図１、図２に示すように、第１ボディ部１２が第２ボディ部１４に対向した状態で回転する前においては、サイドキー１８は、第１ボディ部１２の右側に位置し、ナビゲーションキー２３は、第１ディスプレイ部１６の下側に位置する。
【００３６】
サイドキー１８は、押圧操作によって入力指令を発生するキーボタン２０と、回転操作によって入力指令を発生するジョグルダイヤル２２とを含む。キーボタン２０には、入力指令の内容（認識モード）を意味する図形、例えば、操作や指示の対象を選択するため、又は増加・減少を意味する矢印や三角矢印（三角形）が表示されている。かかるキーボタン２０が操作されると、移動通信端末機１０は表示された図形に応じた動作を行う。一方、ジョグルダイヤル２２は、第１ボディ部１２の前面に直交する方向に回転するように設けられており、ユーザーが容易に回転することができるようにその円周上に多数の突起が形成されている。例えば、キーボタン２０は、通話音などのボリューム調節に用いられ、ジョグルダイヤル２２は、モード選択時にモードを移動させる際に用いられる。
【００３７】
ナビゲーションキー２３は、上下左右方向にそれぞれ配置された４つのナビゲーションキー２３ａ、２３ｂ、２３ｃ、２３ｄを有する。これらは、円形又は楕円形に配置されている。左右のナビゲーションキー２３ａ、２３ｃは、例えば、モード選択時に選択対象を左右方向に移動させることができ、上下のナビゲーションキー２３ｂ、２３ｄは、モード選択時に選択対象を上下方向に移動させることができる。このように４つのナビゲーションキー２３ａ、２３ｂ、２３ｃ、２３ｄは、上下左右方向への移動指令を入力するか、あるいは、それぞれの配置に関連する（又は割り当てられた）指令を入力する。
【００３８】
一方、図３に示すように、第１ボディ部１２が第２ボディ部１４に対して回転すると、マルチキー１７のうち、サイドキー１８（キーボタン２０及びジョグルダイヤル２２）は、第１ボディ部１２の下側に位置し、ナビゲーションキー２３は、第１ディスプレイ部１６の左側に位置することになる。
【００３９】
サイドキー１８の位置が第１ボディ部１２の下側に変わることにより、サイドキー１８に表示されている図形の方向も変わる（上下方向→左右方向）。また、第１ボディ部１２の回転によって、サイドキー１８の指令内容も変更する。例えば、第１ボディ部１２を回転させて、第１ディスプレイ部１６が放送用モデム３８を通じて受信したデジタル放送映像を表示する場合には、サイドキー１８は、放送チャネルを現在のチャネルから前後のチャネルに変更する指令を入力するようになる。
【００４０】
一方、ジョグルダイヤル２２も、その回転方向が左右方向から上下方向に変わることになる。すると、ジョグルダイヤル２２は、第１ディスプレイ部１６が放送用モデム３８を通じて受信したデジタル放送映像を表示するときには、受信中のデジタル放送のボリューム調節に用いられるようになる。
【００４１】
同様に、第１ボディ部１２の回転により、４つのナビゲーションキー２３ａ〜２３ｄも時計方向に９０度回転する。この結果、第１ボディ部１２の回転前後で、上下左右の４つのナビゲーションキー２３ａ〜２３ｄは右左上下の４つのナビゲーションキー２３ｂ、２３ａ、２３ｄ、２３ｃに変更することになる。しかし、４つのナビゲーションキー２３ａ〜２３ｄは、そのキー配置に応じた移動、又はキー配置に割り当てられた指令を入力することに変わりはない。すなわち、第１ボディ部１２が回転した後は、ナビゲーションキー２３ａ及び２３ｃが上下のナビゲーションキーとなり、ナビゲーションキー２３ｂ及び２３ｄが左右のナビゲーションキーとなる。
【００４２】
このようにマルチキー１７は、第１ボディ部１２の回転位置に応じて（回転前後で）入力する指令内容（すなわち、その操作によって認識される認識モード）の種類を異なるため、操作性の悪化を招くことなく、更には、その活用が増加され得る。
【００４３】
（３）第２ディスプレイ部
図１〜図３に示すように、第２ボディ部１４は、第１ボディ部１２に設けられている第１ディスプレイ部１６と同一又は異なるメニュー画面、動画、静止画などの様々な映像を表示する第２ディスプレイ部２４をその前面に有する。特に、第２ディスプレイ部２４は、画面に触れることで所定の情報を入力できるボタン認識の第１タッチスクリーン２６と、文字等を筆記して所定の情報を入力できる筆記認識の第２タッチスクリーン２８とを含む。
【００４４】
ボタン認識の第１タッチスクリーン２６は、第２ボディ部１４の前面下方に配置されており、筆記認識の第２タッチスクリーン２８は、第２ボディ部１４の前面上方に配置されている。下方に配置されているボタン認識の第１タッチスクリーン２６は、移動通信端末機１０の閉状態においては、第１ボディ部１２によって覆われており、図２に示すように、第１ボディ部１２が第２ボディ部１４に対してスライド移動すると（スライド開放状態となると）露出する。
【００４５】
筆記認識の第２タッチスクリーン２８は、第１ボディ部１２が第２ボディ部１４に対してスライド移動しただけでは露出せず（スライド開放状態では露出せず）、第１ボディ部１２を回転させた後にはじめて露出する。また、筆記認識の第２タッチスクリーン２８は、第１ボディ部１２が第２ボディ部１４に対して回転するときの回転支点に隣接して配設されている。
【００４６】
筆記認識の第２タッチスクリーン２８は、英文字による文字入力を認識する英文字入力領域３０と、数字入力を認識する数字入力領域３２とを有する。英文字入力領域３０及び数字入力領域３２に、それぞれ英文字、数字が筆記されることにより、タッチスクリーン２８は、筆記された英文字及び数字を認識する。なお、筆記は、例えば、スタイラストペンで行われるが、指によって行われてもよい。また、英文字による文字入力を対象としているが、他の文字（例えば、ひらがな、カタカナ、漢字）による文字入力を認識するようにしてもよい。
【００４７】
図４において、ボタン認識の第１タッチスクリーン２６及び筆記認識の第２タッチスクリーン２８は、信号入力部４２を介して、認識したボタン（ユーザーによって触れられた箇所）及び認識した文字・数字に対応する信号を制御部３４に入力する。メモリ部３９は、制御部３４を介して認識したボタン及び認識した文字・数字に対応する制御信号が提供され、該提供される制御信号に対応するボタン及び文字・数字を保存している。特に、筆記認識の第２タッチスクリーン２８は、英文字入力領域３０と数字入力領域３２と区分し、それぞれ専用の入力領域を有しているため、筆記認識速度を向上させることができ、筆記認識率を高めることができる。
【００４８】
図８、図９は、筆記認識の第２タッチスクリーン２８への筆記入力に応じて、第１ディスプレイ部１６に英文字、数字が選択されて表示される状態を示している。
【００４９】
図８に示すように、英文字入力領域３０に英文字、例えば「Ｆ」がスタイラストペンで記入されると、制御部３４は、メモリ部３９に保存されている英文字のうち、スタイラストペンで記入された英文字（すなわち、認識した英文字）と同一または最も類似する英文字を読み出して第１ディスプレイ部１６に表示する。
【００５０】
次に、図９に示すように、数字入力領域３２に数字、例えば「６」がスタイラストペンで記入されると、制御部３４は、メモリ部３９に保存されている数字のうち、スタイラストペンで記入された数字（すなわち、認識した数字）と同一または最も類似する数字を読み出して第１ディスプレイ部１６に表示する。
【００５１】
図１０は、本発明の他の実施形態に係る移動通信端末機の（完全）開放状態を示す図である。
【００５２】
図１０に示すように、本実施形態に係る移動通信端末機５０は、第１ボディ部５２と、第２ボディ部５４とを含む。第１ボディ部５２は、第２ボディ部５４にスライド移動及び回転可能に連結されている。移動通信端末機５０は、上述した実施形態と同様、第１ボディ部５２は第２ボディ部５４に対してスライド移動し、その後、第２ボディ部５４に対向した状態（第１ボディ部５２の裏面と第２ボディ部５４の前面とが対向した状態）で回転することで図１０に示す（完全）開放状態となる。
【００５３】
第１ボディ部５２は、その前面に設けられるディスプレイ部５６と、その前面及び側面に設けられるマルチキー５７とを有する。マルチキー５７は、ナビゲーションキー６３とサイドキー６８とを含む。第１ボディ部５２の構成要素は、上記実施形態における第１ボディ部１２（図１〜図３参照）の構成要素と実質的に同一である。
【００５４】
第２ボディ部５４は、キーパッド６６及びタッチパッド６８を含む。移動通信端末機５０の閉状態において、キーパッド６６及びタッチパッド６８は、第１ボディ部５２に覆われている。第１ボディ部５２が第２ボディ部５４に対してスライド移動すると（すなわち、スライド開放状態となると）、キーパッド６６が露出する。このとき、タッチパッド６８は依然として第１ボディ部５２に覆われている。スライド開放状態において、第１ボディ部５２が第２ボディ部５４に対して回転すると、タッチパッド６８が露出する。
【００５５】
タッチパッド６８は、第１ボディ部５２が第２ボディ部５４に対して回転するときの回転支点に隣接して配設されている。タッチパッド６８は１つ以上のタッチボタンを含み、各タッチボタンは活性化時に発光するようになっている。なお、タッチボタンは、第１ボディ部５２によって覆われている間は非活性化状態にあり、この場合には発光しない。
【００５６】
このタッチボタンは、高感度のタッチセンサを有しており、指が軽く触れるだけでその操作を認識し、該操作に基づいて作動する。
【００５７】
図１１は、図１０に示す移動通信端末機のシステム構成図である。
【００５８】
図１１に示すように、移動通信端末機５０は、上述したディスプレイ部５６、キーパッド６６及びタッチパッド６８と共に、図４に示す移動通信端末機１０と実質的に同一又は類似する、制御部７４、無線通信部７６、放送用モデム７８、メモリ部７９、位置検知部８０及び信号入力部８２を含んで構成される。
【００５９】
タッチパッド６８は、露出された際、すなわち、第１ボディ部５２が第２ボディ部５４に対してスライド移動し、かつ回転した後に、メニュー移動機能及び特定機能を実行させる実行機能を提供する。また、タッチパッド６８は、放送用モデム７８を通じて受信したデジタル放送映像を表示する際の各種指令を入力するために使用される。例えば、タッチパッド６８のタッチボタンは、放送チャネルを変更したり、デジタル放送のボリュームを調節したり、前後のチャネルに放送チャネルを変更したり、プリセットされたチャネルに放送チャネルを変更したりすることができる。
【００６０】
以上、図面を参照して本発明の実施形態を説明したが、本発明はこれに限られないことは言うまでもない。
【００６１】
例えば、上記実施形態では、主に無線通話に用いられる移動通信端末機を説明したが、本発明は、移動通信端末機以外の情報家電やＭＰ３プレーヤーなどの音声又は映像再生装置であり得る。
【００６２】
上記実施形態では、移動通信端末機がスライド開放状態又は完全開放状態にあるときに露出する入力手段としてタッチスクリーンとタッチパッドを説明したが、これに限られず、いかなる入力手段も採用し得る。特に、タッチ入力装置とした場合の「タッチ」には、指等が直接触れる物理的接触だけではなく、空間による電気的、磁気的又は熱的接触など様々な形態の接触が含まれる。例えば、熱検知センサを含むタッチ入力装置は、物理的接触ではなく、熱により（熱的接触により）作動することができる。
【００６３】
上記実施形態では、第１ボディ部が第２ボディ部に対して上方にスライド移動し、その後、すなわち、最上部位置で第１ボディ部が第２ボディ部に対向した状態で回転するようにしているが、第１ボディ部が第２ボディ部に対して下方にスライド移動し、その後、最下部位置で回転するように構成することもできる。また、第１ボディ部は、第２ボディ部に対してスライド移動せず、第２ボディ部に対向した状態での回転のみを行うように構成したり、第２ボディ部に対向した状態で回転した後に、第１ボディ部が第２ボディ部に対して上方又は下方にスライド移動するように構成したりすることもできる。この場合、第２ディスプレイ部のタッチスクリーンは、第１ボディ部が回転し、かつスライド移動してから露出するように配置される。
【００６４】
上記実施形態では、第１ボディ部に設けられる第１ディスプレイ部を発光表示装置とし、第２ボディ部に設けられる第２ディスプレイ部をタッチスクリーンとした例を挙げたが、第１ディスプレイ部もタッチスクリーンとしてもよいことはもちろんである。
【００６５】
また、第１ボディ部及び第２ボディ部に設けられるディスプレイ部の個数は何ら限られない。第１ボディ部が複数のディスプレイ部を有したり、そのうちの全部又は一部をタッチスクリーンとしたりしてもよい。
【００６６】
上記実施形態では、第１ディスプレイ部に表示される映像は、その上下が第１ボディ部の回転位置にかかわらず、第２ボディ部の上下方向又は重力方向に対応するように保持しているが、これに限られず、例えば、第２ボディ部の左右方向又は重力方向に直交する方向を映像の上下としてもよい。すなわち、第１ディスプレイ部に表示される映像は、第１ボディ部の回転に伴って回転せずに、常に一定の表示状態を維持すればよい。さらに、第１ディスプレイ部に表示される映像の上下方向を映像の種類に応じて任意に設定できるようにしてもよい。
【００６７】
上記実施形態では、位置検知部を重力検知装置又はジャイロ検知装置とし、第１ボディ部の第２ボディ部又は重力方向に対する回転角度を検知するようにしたが、第２ボディ部に対する第１ボディ部の回転角度を直接検知するようにしてもよい。この場合、位置検知部は、移動通信端末機の閉状態（すなわち、第２ボディ部の前面が第１ボディ部に覆われている状態）を基準（０°）とし、第１ボディ部と第２ボディ部との相対回転角度を検知してこれを制御部に提供することになる。これにより、重力方向を基準とするよりも、ユーザーにとってより視聴し易い映像を提供することができることになる。すなわち、ユーザーは、第２ボディ部を一定の状態として第１ボディ部２を回転させるのが一般的であると考えられるところ、第１ディスプレイ部に表示される映像の上下方向は、第２ボディ部の上下方向と同じ状態に保持することができる。
【００６８】
上記実施形態において、筆記認識の第２タッチスクリーンが英文字入力領域と数字入力領域とを含むこと、英文字入力領域に代えて他の文字（ひらがな、カタカナ、漢字）の入力領域としてもよいことを説明したが、３つ以上の入力領域（例えば、英文字、ハングル文字及び数字）を含むようにしてもよい。
【００６９】
上記実施形態では、第２ボディ部に設けられる第２ディスプレイ部は、ボタン認識の第１タッチスクリーンと、筆記認識の第２タッチスクリーンとを含むタッチスクリーンとしているが、筆記認識のタッチスクリーンのみとしてもよい。この場合、ボタン認識の第１タッチスクリーンが設けられている位置に数字キーパッドを設けるのが好ましい。
【００７０】
また、第１ボディ部に設けられるマルチキーの位置や形状、種類は上記実施形態に限られない。例えば、マルチキーのサイドキーがジョグルシャトルを含むこともできる。
【００７１】
上記実施形態において、サイドキー及びナビゲーションキーには、それ自体に指令内容（認識モード）を意味する図形が表示されているが、図形だけではなく、指令内容を意味する文字や記号等が表示されていてもよく、また、サイドキー及びナビゲーションキー自体ではなく、これらに近接した周囲に表示してもよい。
【００７２】
例えば、指令内容の意味する図形、文字、記号等は、サイドキー又はナビゲーションキーに近接する第１ボディ部や第２ボディ部の上端、下端又は側端等に表示することができる。また、サイドキーやナビゲーションキーの表面又はその近傍に液晶表示装置などの表示装置が内蔵され、第１ボディ部の回転前後で異なる向き（正しい向き）の図形等を表示するようにしてもよい。
【００７３】
以上説明した本発明の実施形態は、例示の目的のために開示されたものであり、本発明の属する技術の分野における通常の知識を有する者であれば、本発明の技術的思想を逸脱しない範囲内で、様々な置換、変形、及び変更が可能である。したがって、このような置換、変形、変更などは、本発明の技術的範囲に属するものである。
【図面の簡単な説明】
【００７４】
【図１】本発明の一実施形態に係る移動通信端末機の閉状態を示す図（斜視図）である。
【図２】上記実施形態に係る移動通信端末機の第１ボディ部を第２ボディ部に対してスライド移動させたスライド開放状態を示す図（斜視図）である。
【図３】上記実施形態に係る移動通信端末機の第１ボディ部を第２ボディ部に対してスライド移動させ、その後、回転させた完全開放状態を示す図（斜視図）である。
【図４】上記実施形態に係る移動通信端末機のシステム構成図である。
【図５】上記実施形態に係る移動通信端末機が閉状態にあるときの第１ディスプレイ部の映像表示状態を示す図（斜視図）である。
【図６】上記実施形態に係る移動通信端末機が完全開放状態にあるときの第１ディスプレイ部の映像表示状態を示す図（斜視図）である。
【図７】上記実施形態に係る移動通信端末機がスライド開放状態から完全開放状態へと移行中の状態の第１ディスプレイ部の映像表示状態を示す図（斜視図）である。
【図８】筆記認識の第２タッチスクリーンの英文字入力領域に対する入力に応じて第１ディスプレイ部１６に英文字が表示される状態を示す図である。
【図９】筆記認識の第２タッチスクリーンの数字入力領域に対する入力に応じて第１ディスプレイ部１６に数字が表示される状態を示す図である。
【図１０】本発明の他の実施形態に係る移動通信端末機の完全開放状態を示す図である。
【図１１】上記他の実施形態に係る移動通信端末機のシステム構成図である。
【符号の説明】
【００７５】
１０  移動通信端末機
１２  第１ボディ部
１４  第２ボディ部
１６  第１ディスプレイ部
１７  マルチキー
１８  サイドキー
２０  キーボタン
２２  ジョグルダイヤル
２３  ナビゲーションキー
２４  第２ディスプレイ部
２６  第１タッチスクリーン
２８  第２タッチスクリーン
３０  英文字入力領域
３２  数字入力領域
【図１】
2007116712.tif 000003
【図２】
2007116712.tif 000004
【図３】
2007116712.tif 000005
【図４】
2007116712.tif 000006
【図５】
2007116712.tif 000007
【図６】
2007116712.tif 000008
【図７】
2007116712.tif 000009
【図８】
2007116712.tif 000010
【図９】
2007116712.tif 000011
【図１０】
2007116712.tif 000012
【図１１】
2007116712.tif 000013